(57)【特許請求の範囲】
【請求項１】
折り重なった透水性シートからなり、横方向へ延びる頂縁部および底縁部ならびに縦方向へ延びる両側縁部を有する透水性の袋において、
前記底縁部および前記両側縁部が閉じていて、前記頂縁部が開いており、
前記頂縁部における前記両側縁部のうちの一方の外側から始まって前記横方向へ延びて他方の前記側縁部の内側で終わる引き裂き容易な部位が、重なった前記透水性シートそれぞれの同じ位置に重なり合うように形成され、前記透水性シートそれぞれには前記引き裂き容易な部位に高剛性域が形成され、前記透水性の袋を使用するときに前記頂縁部の引き裂かれた上方部分が、剛性のある環状の取っ手となることを特徴とする前記透水性の袋。
【請求項２】
前記引き裂き容易な部位と前記底縁部との間において、重なった前記透水性シートどうしが閉じている部位が前記両側縁部間に延びており、前記透水性シートどうしが閉じている部位と前記底縁部との間に抽出対象物が納められている請求項１記載の袋。
【請求項３】
前記透水性シートどうしが閉じている部位において、重なった前記透水性シートどうしが剥離可能な状態にある請求項２記載の袋。
【請求項４】
前記透水性シートが熱可塑性合成繊維からなるものであり、前記熱可塑性合成繊維を溶融固化してなる高剛性域が前記引き裂き容易な部位に形成されている請求項１〜３のいずれかに記載の袋。
【請求項５】
前記高剛性域が、前記頂部における前記袋の両側に位置する前記透水性シートをそれぞれ外側に折曲して重ね合い、重なり合った前記透水性シートどうしを溶着して形成されている請求項４記載の袋。
【発明の詳細な説明】
【０００１】
【発明が属する技術分野】
この発明は、茶やコーヒーを入れたり、出し汁を作るときなどに使用するのに好適な透水性の袋に関する。
【０００２】
【従来の技術】
従来、透水性シートからなるティーバッグに糸を取り付け、ティーカップに対してティーバッグを簡単かつ手を汚すことなく出し入れできるようにしたものは、周知である。
【０００３】
【発明が解決しようとする課題】
前記周知のティーバッグの製造では、茶葉を入れた袋を用意する工程と、糸を用意する工程と、袋に糸を取り付けるための工程とが必要で、工程が繁雑になるばかりでなく、袋と糸という形状の全く異なる材料を扱う装置が必要となるから製造装置の全体が複雑になることを避け難い。また、製造されたティーバッグでは、それを包装したりするときに糸が邪魔になるとか、使用しているときに糸が外れるというトラブルも起こりかねない。
【０００４】
この発明では、ティーバッグの如き透水性の袋において、前記従来技術の問題を解消することができるように、糸を使用することなくその袋をティーカップなどに出し入れできるようにすることを課題にしている。
【０００５】
【課題を解決するための手段】
前記課題解決のために、この発明が対象とするのは、折り重なった透水性シートからなり、横方向へ延びる頂縁部および底縁部ならびに縦方向へ延びる両側縁部を有する透水性の袋である。
【０００６】
かかる透水性の袋において、この発明が特徴とするところは、前記底縁部および前記両側縁部が閉じていて、前記頂縁部が開いており、前記頂縁部における前記両側縁部のうちの一方の外側から始まって前記横方向へ延びて他方の前記側縁部の内側で終わる引き裂き容易な部位が、重なった前記透水性シートそれぞれの同じ位置に重なり合うように形成され、前記透水性シートそれぞれには前記引き裂き容易な部位に高剛性域が形成され、前記透水性の袋を使用するときに前記頂縁部の引き裂かれた上方部分が、剛性のある環状の取っ手となること、にある。
【０００７】
この発明には、次のような好ましい実施態様がある。
（１）前記引き裂き容易な部位と前記底縁部との間において、重なった前記透水性シートどうしが閉じている部位が前記両側縁部間に延びており、前記透水性シートどうしが閉じている部位と前記底縁部との間に抽出対象物が納められている。
（２）前記透水性シートどうしが閉じている部位において、重なった前記透水性シートどうしが剥離可能な状態にある。
（３）前記透水性シートが熱可塑性合成繊維からなるものであり、前記熱可塑性合成繊維を溶融固化してなる高剛性域が前記引き裂き容易な部位に形成されている。
（４）前記高剛性域が、前記頂部における前記袋の両側に位置する前記透水性シートをそれぞれ外側に折曲して重ね合い、重なり合った前記透水性シートどうしを溶着して形成されている。
【発明の実施の形態】
添付の図面を参照して、この発明に係る透水性の袋の詳細を説明すると、以下のとおりである。
【０００８】
図１，２は、透水性の袋１の平面図と、同図のＩＩ−ＩＩ線断面図である。袋１は、熱可塑性合成繊維からなる透水性の不織布５を折り重ねることによって形成されているもので、縦方向Ｐと横方向Ｑとを有する。袋１において、折り重ねられている不織布５のそれぞれが頂縁部２と、底縁部３と、図１において右方に位置する第１側縁部４と左方に位置する第２側縁部６とを有し、底縁部３ではまち７をとるように不織布５が折り重ねられている。第１側縁部４と第２側縁部６とでは、重なり合う不織布が縦方向ヘ平行して延びる第１，第２接合部１１，１２において互いに溶着している。頂縁部２では、第１接合部１１の外側に始まって横方向Ｑへ延び、第２接合部１２の内側で終わる引き裂き容易な部位１３が重なり合う不織布５それぞれの同じ位置に重なり合うように形成されている。
【０００９】
図３，４は、袋１を引き裂き容易な部位１３において引き裂いた状態を示す袋１の斜視図と、使用状態にある袋１の斜視図である。袋１の頂縁部２に位置する引き裂き容易な部位１３は、重なり合う不織布５のそれぞれに横方向Ｑへ長く延びる複数のスリット１７を設けることによって形成されており（図１参照）、図示の如く頂縁部２は第２接合部１２の近傍まで切り裂くことができる。頂縁部２のコーナー部分１８を摘んで、頂縁部２を矢印Ｒ方向へ引っ張れば、不織布５の裂け目はスリット１７に沿って延びる。そのような不織布５の裂け目は、スリット１７が形成されておらずフィルム状を呈していて容易に裂けることのない第２接合部１２の内側に到達したときに止まる。頂縁部２を引き裂いた後の袋１には、開口１９が形成される。かような開口１９を有する袋１は、図４に仮想線で示される如く、その中に抽出対象物である茶葉２２などを入れて湯２３を満たしたカップ２４に入れれば、広がった袋１の中で茶葉２２が湯と接触し、茶葉２２の成分を速やかに抽出することができる。このときに、引き裂かれた頂縁部２の上方部分は、袋１をカップ２４に対して出し入れするときの環状の取っ手２６として使用することができる。
【００１０】
このように形成される透水性の袋１では、袋１の一部分を引き裂くことによって取っ手２６が得られるから、従来技術のように取っ手を作るために袋とは全く別の材料である糸などを用意して、この材料を加工したり、袋に取り付けたりするという作業が不要になり、袋の生産性が向上する。引き裂き容易な部位１３は、スリット１７を設けることに代えて、不織布５を局部的に薄く作ることなどによって引き裂き容易に形成されていてもよい。
【００１１】
図５，６は、この発明の実施態様の一例を示す図１と同様な図と、図５におけるＶＩ−ＶＩ線矢視図である。この透水性の袋１の頂縁部２には、引き裂き容易な部位１３に高剛性域１６が形成されている。この高剛性域１６は、不織布５の熱可塑性合成繊維を軟化または溶融状態で加圧してフィルム状にすることで形成されており、不織布５は、高剛性域１６よりも下方の部分で透水性を維持している。高剛性域１６は、それがフィルム状であることによって、引き裂き容易な部位１３を除けば容易に裂けることがなく、この袋１に形成される取っ手２６は、袋１の使用中にちぎれて取れてしまうということがない。また、環状の取っ手２６は、剛性があってその形が安定しているから、摘み易い。
【００１２】
図７は、図５における袋１の使用状態を示す図４と同様な図面である。この袋１では、フィルム状の高剛性域１６に上下方向へ延びる折り目２７をつけることが容易であり、その折り目２７によって袋１の開口１９を図示の如く特に大きく広げておくことができる。かような袋１では、茶葉２２が重なり合うことなく湯に接触するから、茶葉成分の抽出が特に速やかになる。
【００１３】
図８もまた、実施態様の一例を示す図２と同様の図面である。この袋１の頂縁部２では、図において袋１の両側に位置する不織布５のそれぞれが外側へ折曲されて重なり合うことにより高剛性域１６を形成している。かかる高剛性域１６では、折曲されて重なり合う不織布５ａ，５ｂがそれらの面積のほぼ全体にわたって互いに溶着することで高剛性を呈している場合と、単に重なり合うことで高剛性を呈している場合とがある。高剛性域１６どうしは、引き裂き容易な部位１３よりも下方の部位２８で袋１の幅方向全体を剥離可能または剥離不能に溶着することができる。かかる溶着部位２８の存在によって、袋１は閉じた状態になるから、この袋１には予め茶葉２２などを入れて使用者に供給することができる。溶着部位２８が剥離可能に作られている場合には、部位２８を剥離して袋１に開口１９（図３参照）を形成しておいて袋１をカップへ入れるならば、茶葉２２と湯との接触が特に良好になる。
【００１４】
【発明の効果】
この発明に係る透水性の袋は、環状の取っ手とすべき部位が袋の頂縁部を引き裂くことによって形成されるから、袋の製造工程が簡単になり、しかも従来技術のように製造工程において、取っ手とすべき糸が袋を取り扱うときの邪魔になるということがない。また、この発明に係る透水性の袋は、それを使用するときに開口を大きく広げて茶葉などの被抽出物と湯とをよく接触させることができる。
【図面の簡単な説明】
【図１】  透水性の袋の平面図。
【図２】  図１のＩＩ−ＩＩ線断面図。
【図３】  頂縁部が引き裂かれている袋の平面図。
【図４】  使用状態にある袋の斜視図。
【図５】  実施態様の一例を示す図１と同様な図面。
【図６】  図５のＶＩ−ＶＩ線断面図。
【図７】  使用状態にある図５の袋の斜視図。
【図８】  実施態様の一例を示す図２と同様な図。
【符号の説明】
１      透水性の袋
２      頂縁部
３      底縁部
４      側縁部
５      透水性シート（不織布）
６      側縁部
１１      接合部
１２      接合部
１３      引き裂き容易な部位
１６      高剛性域
【図１】
0003675749.tif 000002
【図２】
0003675749.tif 000003
【図３】
0003675749.tif 000004
【図４】
0003675749.tif 000005
【図５】
0003675749.tif 000006
【図６】
0003675749.tif 000007
【図７】
0003675749.tif 000008
【図８】
0003675749.tif 000009